(57)【要約】【課題】磁気読取り用の麻雀牌に埋め込むビット情報設定に、単体の磁性体片を複数用いていたが、誤設定が発生しやすく、また組み立てに時間がかかっていた。【解決手段】複数の磁性体片を連結部材で結合することにより一体化し、磁気によるビット情報の設定の容易化を図る。また一体化することにより組み立ての容易化が図れる。ビット情報の設定は、一体化した磁性体片に外部から磁界を与えて着磁することにより行う。逆極性の着磁を併用することにより、読み取りの安定化も図れる。【選択図】　図５
2004129982.tif 000002
【特許請求の範囲】
【請求項１】
柱状の複数の磁性体と該磁性体の一端に結合される連結部材とからなる磁気情報記録体と、麻雀牌本体とからなり、前記磁気情報記録体における複数の磁性体と連結部材とは一体に形成されており、かつ前記磁気情報記録体は前記麻雀牌本体に埋設されていることを特徴とする磁気読取り用麻雀牌。
【請求項２】
前記磁性体は、設定されるべきビット情報の０，１あるいは１，０に対応して着磁状態と逆極性着磁状態に設定されてなる請求項１記載の磁気読取り用麻雀牌。
【請求項３】
前記磁性体は、設定されるべきビット情報の０，１あるいは１，０に対応して着磁状態と非着磁状態に設定されてなる請求項１記載の磁気読取り型麻雀牌。
【請求項４】
前記磁性体は、設定されるべきビット情報の０，１あるいは１，０に対応して着磁状態と磁性体欠損状態に設定されてなる請求項１記載の磁気読取り用麻雀牌。
【請求項５】
前記連結部材に近接して軟磁性体片を設けてなる請求項１記載の磁気読取り用麻雀牌。
【発明の詳細な説明】
【０００１】
【発明の属する技術分野】
麻雀ゲームの和り点を自動的に算出する麻雀卓に用いられる磁気読取り用麻雀牌に関する。
【０００２】
【従来の技術】
麻雀ゲームにおいて、和了時の和り点の算出は初心者にとって難しいものである。これを解決するためにいくつかの試みが提案されてきた。その一つとして、麻雀牌に抵抗体を埋め込み、外部から抵抗体の抵抗値を計測し、和了者の麻雀牌の種類を知り、和り点を算出するもの（特許文献１参照）がある。また、麻雀牌に磁性体を埋め込み、磁気検出により和了者の牌の種類を識別し、和り点を算出するもの（特許文献２参照）がある。
【特許文献１】実用新案登録第３０２９２７９号公報
【特許文献２】特開平８−１８７３５５号公報
【０００３】
【発明が解決しようとする課題】
これまで抵抗体を用いて麻雀牌の種類を識別するものがあったが、牌の汚れによる接触不良が生じやすく読み取りの安定性に欠けていた。これに対し、磁性体を用いて種類を識別するものがあるが、磁性体のセット時に設定ミスが生じやすく、組み立てに時間がかかっていた。
【０００４】
また従来の磁性体を用いるものは、磁性体で設定するビット情報が１である個所にＳ極（またはＮ極）に磁化した硬磁性片である磁石を埋め込み、設定するビット情報が０である個所に軟磁性体片を埋め込むかあるいは何も埋め込まないままにしていた。また、センサＩＣ側ではない端部は各々分離されており、磁気経路が分断されていた。
【０００５】
このような磁性体による技術は、以下のような欠点を有している。
１）磁気経路が分断されているため、同じ磁束密度を得るためには強い磁石を必要とする。
２）ビット情報の設定に硬磁性体片のＳ極側（またはＮ極側）を手前にして埋め込む必要があるのに対し、Ｎ極側（またはＳ極側）を手前にしてしまうなどの誤設定が生じやすい。
３）複数の硬磁性体片の埋め込みに作業時間がかかる。
４）磁気漏洩が多く麻雀牌が表裏反転した状態でも情報が読み取れる場合があり、誤動作の原因となった。
などの問題点があった。
【０００６】
【発明の概略】
磁性体片を用いる麻雀牌において安定した読取りを行うために、磁性体片のセンサ側ではない端面を連結部材で連結し、後ろ端面において閉磁路とする。これにより、磁気漏洩を減少させるとともに、一体化することによりビット情報設定ミスもなくなる。さらに、識別情報に対応して磁化方向を反転することにより、誤読取りを減少させる。
【０００７】
【実施例】
本発明の実施例を図面により説明する。
図１に示すのは、麻雀牌自動セッティング機構、麻雀点数自動算出機構及び麻雀牌自動読取り機構を有する麻雀卓の平面図である。この図において、１は麻雀卓本体、２は麻雀卓本体１に取り付けられた枠体である。麻雀卓本体１の外側面には点数棒を収納し重量を検出する点数棒箱３が設けられている。また、枠体２の上面の一部は傾斜面とされ、検出された点数棒の重量に基いて計数された得点を表示する点数表示部４が設けられている。
【０００８】
麻雀卓本体１の上面部中央に、麻雀牌を麻雀牌自動セッティング機構に投入するためのホッパ５が形成され、ホッパ５の中央には操作部６が、ホッパ５の周囲にはセッティングされた麻雀牌をゲーム用にセットするリフト機構（図においてはセットされた麻雀牌群７の下に隠れている）が設けられている。
【０００９】
操作部６には内部に２個のサイコロが収納され、サイコロ操作スイッチを操作することにより収納されているサイコロが回転し、目数が決定されるサイコロ機構部、及び１回操作するとホッパ５が開口しゲームが終了した麻雀牌が投入可能となり、麻雀牌の投入が終了したのち再度操作するとゲーム用に整列した麻雀牌がリフト機構によってセットされるホッパ操作スイッチが設けられている。また、操作部６にはリーチ棒（立直）を置くことによりリーチ音が発声されるリーチ操作部も設けられる。
【００１０】
さらに、各ゲーム参加者の前にゲームに影響する要素である、場の風、最初の親、現在の親、懸賞の額などのゲームに必要な各種の情報を入力・表示する入力・表示装置８が設けられ、麻雀卓本体１上面の各ゲーム参加者の前には和了時の読み取りのために麻雀牌を整列させる麻雀牌整列スペース９が設けられている。
【００１１】
図２は麻雀牌整列スペース９の拡大図である。麻雀牌整列スペース９は壁部９Ａ，９Ｂ，９Ｃによって区画され、壁部９Ａには麻雀牌検出スイッチ１１Ａが、壁部９Ｃには麻雀牌検出スイッチ１１Ｃが、壁部９Ｂの両端部には麻雀牌検出スイッチ１１Ｂ，１１Ｄが設けられている。麻雀の和了状態における面前牌の数は最大１８個であり、面前牌と符が異なる副露牌の数は最大１６個である。
【００１２】
また、和了時の最後の牌（和了牌）によって符が異なることがあるため、点数の計算をするには符に影響のある面前牌１２，副露牌１３，和了牌１４を区別する必要がある。そのため、これらの牌の間にスペース１５が設けられており、その結果、麻雀牌整列スペース９の内面は麻雀牌１０が２０個整列することが可能な長さとされている。また、この麻雀牌整列スペース９の各々麻雀牌が配置される位置の下には後述する麻雀牌読取り機構１６が埋設されている。
【００１３】
図３は麻雀卓１の内部構成図であり、図を簡明にするため図１に示された枠体２、ホッパ５、操作部６及びリフト機構は破線で示している。この図において１７は制御装置であり、この制御装置１７には点数表示部４、入力・表示装置８、麻雀牌検出スイッチ１１Ａ，１１Ｂ，１１Ｃ，１１Ｄ及び麻雀牌読取り機構１６が接続され、さらにホッパ５、操作部６及び麻雀牌自動セッティング機構も接続されている。
【００１４】
ところで麻雀ゲームにおいて通常用いられる牌の種類は、萬子、筒子、索子が各々一から九までの計２７種類、白板、緑発、紅中の三元牌が計３種類、東、南、西、北の四喜牌が計４種類、合計３４種類である。また、この他に春、夏、秋、冬の４種類の赤牌や、赤五萬、赤五筒、赤五索、赤三萬、赤三筒、赤三索、白ダイヤ（オールマイティ牌）などの赤牌を含めると合計４５種類である。
【００１５】
２５＝３２＜４５＜６４＝２６であるから、これら４５種類の牌を識別するためには６ビットの情報が必要である。この６ビットに読み取り誤りを検出するためのパリティビットを１ビット加えた合計７ビットの情報が麻雀牌の識別に用いられ、そのために７個のセンサが用いられる。また、麻雀牌は上下逆に配列されることがあり、上下逆の場合でも他の種類と識別可能にするためのビット情報を付加することが好ましい。または麻雀牌の上下を判別するためのセンサを設けてもよい。
【００１６】
図４に示すのは、麻雀牌読取り機構１６のセンサ部２０及びこの麻雀牌読取り機構で種類を読み取られる麻雀牌の磁性体部Ｍである。図２に示したように麻雀牌整列スペース９は麻雀牌１０が２０個整列することが可能な長さとされており、麻雀牌が各々整列される位置の下には、麻雀牌１個ごとに対応するセンサ部２０が埋設され、１麻雀牌整列スペースあたり２０個のセンサ部２０からなる麻雀牌読取り機構１６が構成される。
【００１７】
図４（ａ）に示されるのは、麻雀牌１個に対応する麻雀牌読取りセンサ部２０であり、麻雀牌の識別情報を読み取るために麻雀牌読取りセンサ部２０の中央部に配置された７個のセンサＩＣに加えて、麻雀牌の上下を判別するための４個のセンサＩＣが麻雀牌読取り機構の４隅に配置され、合計１１個のセンサが配置されている。
【００１８】
麻雀牌整列スペースの麻雀牌が配置される位置の下には麻雀牌読取り機構１６が埋設されており、各麻雀牌に対応して麻雀読取りセンサ部２０が２０個設けられている。各麻雀牌読取りセンサ部２０はホール素子とホール素子駆動回路からなる１１個のセンサＩＣから構成されている。磁気の検出はホール素子に限ることなく、他の検出機構たとえば磁性抵抗素子（ＭＲ素子）を用いることができる。
【００１９】
センサの配置例を示すと、１１個のセンサＩＣＳ１〜Ｓ１１は麻雀牌読取りセンサ部２０の長手方向に３列に配列されており、内側の１列には３個のセンサＩＣが、外側の２列には各４個のセンサＩＣが配列されている。これらのセンサは、センサＩＣＳ１が麻雀牌読取りセンサ部２０の中央に配置され、センサＩＣＳ２，Ｓ３，Ｓ４，Ｓ５，Ｓ６，Ｓ７はセンサＩＣＳ１を中心とする円周上を６等分する位置に配置され、センサＩＣＳ８，Ｓ３，Ｓ１，Ｓ７，Ｓ９は麻雀牌読取りセンサ部２０の上側中央に配置されたセンサＩＣＳ２を中心とする円周上を６等分する位置に配置され、センサＩＣＳ１０，Ｓ４，Ｓ１，Ｓ６，Ｓ１１は麻雀牌読取りセンサ部２０の下側中央に配置されたセンサＩＣＳ５を中心とする円周上を６等分する位置に配置されている。このように配置することにより各センサＩＣと隣接する他のセンサＩＣとの間隔は等距離になる。
【００２０】
図４（ｂ）に示すのは、麻雀牌を背面から見た透視断面図であり、１１個の磁性体片Ｍ１乃至Ｍ１１が麻雀牌読取りセンサ部２０の１１個のセンサＩＣに対応する位置に埋め込まれている。このようにセンサＩＣ及び磁性体片を等距離に配置することにより、磁性体同士の相互干渉を最小にすることができる。
【００２１】
図５は、麻雀牌１個あたり８個の磁性体片を配置した場合の牌の構造を示すものである。この図は本願発明の麻雀牌の外観及び内部構造を説明するためのものであり、（ａ）は麻雀牌１０を側面から見た透視図、（ｂ）は麻雀牌１０を構成する部材の分解図、（ｃ）は麻雀牌１０を背面から見た透視図、（ｄ）は磁性体Ｍの斜視図である。麻雀牌１０は印字面を有する白色である本体２１と、印字面の反対側に設けられ着色された背部２２から構成されており、円柱状の磁性体片の集合体である磁性体Ｍが背部２２中に埋め込まれている。また、麻雀牌１０の中には麻雀セッティング機構の電磁石によって麻雀牌１０を吸着するための軟磁性体片２３が埋設されている。磁性体Ｍの連結部分を厚くすることにより、軟磁性体片２３を省略することも可能である。
【００２２】
図５（ｄ）に示されるのは磁性体片が８個の場合である。硬磁性体である各磁性体片の一端はセンサＩＣに対し磁界を与えるべく開放されており、各磁性体片の他端は連結部材により他の磁性体片の他端と結合されている。各磁性体片及び連結部材はフェライト、ゴムあるいはプラスチック磁石など一体成型が可能な材質により形成され、これらの材質を用いて各磁性体片と連結部材とを一体成型した後、所望のビット情報を有するように着磁するのが好ましい。また、他の実施形態として、すべて同一極性に着磁したのち、不要なビット情報部分に対応する磁性体片を折り取る、あるいは切断などにより除去し、所望のビット情報を得るようにしてもよい。そのほか、着磁、非着磁によりビット情報を表してもよい。
【００２３】
ここでは、磁性体片を円柱状としたが、ほぼ柱状であれば角柱状であってもよいし、やや円錐状や角錐状にして一体成型する場合に離型しやすい形状にしてもよい。また、磁性体片と連結部材とを一体成型することが最も望ましいが、別体で製造し、接着などにより磁性体片と連結部材とを一体に形成したのち、所望のビット情報を有するように着磁するものであってもよい。
【００２４】
図６に示されるのは、麻雀牌読取り回路の構成図であり、説明を簡単にするため麻雀読取りセンサ部２０は１個のみ用い、センサＩＣも１個のみ用いたものについて説明を行う。この麻雀牌読取り回路は中央処理装置３０に接続され、読取り専用記憶装置（ＲＯＭ）及び書込み・読取り記憶装置（ＲＡＭ）からなる記憶装置３１、入力・表示装置８及び麻雀牌検出スイッチ１１Ａ，１１Ｂ，１１Ｃ，１１Ｄからなる入力装置３２、複数のセンサＩＣ３３、これら入力装置３２及びセンサＩＣ３３を中央処理装置３０に接続するインタフェース装置３４から構成され、中央処理装置３０には点数表示部４がさらに接続されている。
また、記憶装置３１中のＲＯＭには識別情報と牌の種類を対応付けた牌参照テーブル及び点数表が内蔵されている。
【００２５】
センサＩＣ３３はホール素子３５、ホール素子３５が接続されたシュミット回路３６、ホール素子３５に接続された定電圧３７及びシュミット回路３６に接続された出力用トランジスタ３８から構成されている。ホール素子３５には定電圧３７から一定電流が供給されており、磁化された磁性体と対向したときにＨレベル、それ以外のときにはＬレベルの信号を出力する。これらのホール素子出力はシュミット回路３６に供給されて振幅弁別され、出力用トランジスタ３８で増幅されてインタフェース３４に出力される。
【００２６】
前に説明したように、麻雀牌読取りセンサ部２０は１１個のセンサＩＣ　Ｓ１乃至Ｓ１１を有しているため、これらのセンサＩＣにより１１ビットの識別情報が出力される。出力された１１ビットの識別情報から牌の種類を判別するために、最初に図４（ａ）に示されたセンサＩＣ　Ｓ８乃至Ｓ１１により麻雀牌の上下が判定される。次に残りのセンサＩＣ　Ｓ１乃至Ｓ７により麻雀牌１０の識別情報が読み取られ、読み取られた結果を中央処理装置３０が記憶装置３１中のＲＯＭに書き込まれた牌参照テーブルと照合することにより麻雀牌１０の種類が判別される。
【００２７】
この場合、センサＩＣ　Ｓ１乃至Ｓ７により読み取られた識別情報をセンサＩＣ　Ｓ８乃至Ｓ１１により判定された牌の上下情報に応じて識別情報を組替えた上で、読み取られた結果を参照テーブルと照合するようにすれば、参照テーブルに書き込まれている麻雀牌の種類を使用される牌の種類に対応する数にすることができる。
【００２８】
また、麻雀牌が整列される麻雀牌整列スペース９には２０個の麻雀牌読取りセンサ部２０が埋設され、各々のセンサ部２０には１１個のセンサが設けられている。したがって、１人分の麻雀牌整列スペース９には２２０個のセンサがあり、これら全てのセンサの情報を麻雀牌読取り回路が同時に読み取ることは負担が大きい。そのため、２０個の麻雀牌読取りセンサ部２０を順番に切り換えてセンサの情報を読むように構成することが好ましい。
【００２９】
ここでは、麻雀牌１個に対するセンサＩＣが１１個の場合で説明したが、センサＩＣが８個の場合であっても、識別情報を工夫することにより牌の上下が反転していても牌の種類を判別することができる。たとえば、上下反転した位置で読み取られる識別情報が異なる牌を示すことのないようなコード体系を採用すればよい。そのようなコード体系を採用すれば、ある牌の識別情報が示す牌の種類と、上下反転した状態での識別情報が示す牌の種類は同一であり、上下判定用の識別情報を設ける必要性はない。
【００３０】
次に、麻雀牌読取り装置の動作を説明する。ゲームにおいてゲーム参加者の一人が和了した場合には、その和了者は図２に示された和了者の前に位置する麻雀牌整列スペース９に麻雀牌１０を整列させる。この場合、面前牌１２は麻雀牌検出スイッチ１１Ａ及び１１Ｂを動作させる位置に、副露牌１３は麻雀牌検出スイッチ１１Ｃ及び１１Ｄを動作させる位置に、和了牌１４は面前牌１２及び副露牌１３の何れとも離隔した位置に整列させる。
【００３１】
このように麻雀牌が整列されると、麻雀牌検出スイッチ１１Ａ乃至１１Ｄが動作し、その参加者が和了したと判断され、麻雀牌読取り装置が動作を開始する。整列された麻雀牌のうち、麻雀牌検出スイッチ１１Ａ及び１１Ｂを動作させた一連の麻雀牌は面前牌１２であると判断され、麻雀牌検出スイッチ１１Ｃ及び１１Ｄを動作させた一連の麻雀牌は副露牌１３であると判断され、面前牌１２及び副露牌１３の何れとも離れた位置に配列された１個の牌は和了牌１４であると判断される。
【００３２】
このようにして、面前牌１２、副露牌１３及び和了牌１４が識別されると、読み取られた牌の組み合わせを中央処理装置３０が整理し、記憶装置３１中のＲＯＭに書き込まれた和了役参照テーブルと照合することにより和了役が判別される。さらに、和了基本点と面前牌１２、副露牌１３及び和了牌１４の組み合わせから符が算出され、算出された符と和了役に基きあるいは記憶装置３１中のＲＯＭに書き込まれた点数表を参照することにより和了点が計算される。なお、このような点数計算は、コンピュータを用いた麻雀ゲームのソフトウエアを利用すれば簡単に実現することが可能である。
【００３３】
また、和了役のうち風牌の情報は予め入力・表示装置８から入力された情報が利用され、リーチはリーチ操作部から入力された情報が利用され、自模和、ドラ牌、海底、嶺上開花などの情報は必要に応じて入力・表示装置８から入力される。なお、ドラ牌などの特殊な牌を読み取るため麻雀牌読取りセンサ部２０と同様な構成を有する特殊牌読取りセンサ部を麻雀卓の適当な位置に配置してもよい。
【００３４】
このようにして計算・表示された和了点に応じて点数棒の移動が行われ、各ゲーム参加者の持ち点数は点数棒箱３で計数され、点数表示部４に表示される。また、この場合点数棒を用いずにコンピュータで各ゲーム参加者の持ち点数を計算し、その結果を直接に点数表示部４に表示することも可能である。
【００３５】
和了時に読み取られる麻雀牌１０は背部２２が整列スペース９内の麻雀卓上面に接触するだけでなく、図２に示されているように上下いずれかの端面を整列スペース９の壁部９Ｂに接触して配列される。したがって、麻雀牌の上下端面を利用しても読取りを行なうことができる。図７及び図８に示されたのは麻雀牌の読取りに上下端面を利用した実施例であり、図７（ａ）に麻雀牌１０の端面２６の構造を、図７（ｂ）に対応する麻雀牌読取りセンサ部２０の構造を示す。
【００３６】
通常、和了した面前牌及び副露牌は印字面を表にして配置されるため、図４に示された実施例のような麻雀牌の上下の問題は生じない。したがって、この場合麻雀牌読取りセンサ部２０には麻雀牌の上下を判別するためのセンサＳ８乃至Ｓ１１及び磁性体片Ｍ８乃至Ｍ１１は不要である。そのため、図７に示された実施例において麻雀牌１０には端面に７個の磁性体片Ｍが設けられており、対応する麻雀牌読取りセンサ部２０にも７個のセンサＳが設けられている。
【００３７】
図８に枠体２、枠体２に形成された整列スペース９、整列スペース９に設けられた麻雀牌読取りセンサ部２０及び整列スペース９に配置される麻雀牌１０の位置関係を示す。麻雀牌読取りセンサ部２０は枠体２の壁面で麻雀牌上下端面の磁性体の対応位置に形成される。このように構成し、図３に示された制御装置１７を枠体２に内蔵させれば麻雀牌読取り装置の全体が枠体２に内蔵されることになり、このような枠体２を特別な機構のない従来の麻雀卓に、あるいは単純な麻雀牌自動セッティング機構付き麻雀卓と組み合わせることにより、これらの麻雀卓を麻雀牌自動読取り麻雀卓にすることができる。
【００３８】
次に、識別情報の設定について説明する。所望のビット情報を設定するにあたり、ビット情報１（または０）に対しＳ極（またはＮ極）を対応させ、ビット情報０（または１）に対し非着磁あるいは磁性体片の不存在を対応させるが、これでは磁気センサのヒステリシス特性によっては問題が生じるケースもある。
【００３９】
代表的な磁気センサであるホール素子は、センサＩＣとしてＩＣに組み込まれた状態では、感度が高いうえヒステリシス特性を有するため、隣接する位置の磁性体片の磁気を検出し、対応する位置には同極に着磁された磁性体片がないにもかかわらず、磁性体片があるかのごとく検出してしまうことがある。このため、意識的に磁気センサの感度を低下させることも行われているが、そうすると対応する位置に着磁された磁性体片があるのに検出できない場合もある。
【００４０】
このようなケースに鑑み、改善策を提案する。これまで、ビット情報１（または０）に対しＳ極（またはＮ極）を対応させ、ビット情報０（または１）に対し非着磁あるいは磁性体片の不存在を対応させたが、改善策ではビット情報０（または１）に対しビット１（または０）を示す磁性体片の磁化極性とは逆極性に磁化された磁性体片を設けることにより、隣接磁性体片の影響を打ち消して、読取りの誤動作をなくした。
【００４１】
図９において示すのは、磁性体片の隣接方向をＸ軸に、磁界をＹ軸にとったグラフである。磁性体片がＳ極，Ｓ極，なし，Ｓ極と配置された旧配置と、Ｓ極，Ｓ極，Ｎ極，Ｓ極と配置された新配置における磁束密度を示している。測定用のプルーブは、磁性体片上約３．５ｍｍの位置に置かれた。水平の点線で示すのは、Ｓ極を検出するセンサＩＣのオンレベルと、オフレベルである。この場合、６ｍｍテスラでオンし、１ｍｍテスラでオフになる。センサＩＣにはヒステリシス特性があり、一旦磁界がオンレベルを超えるとオフレベルを下回るまでオン信号を出力するものである。したがって、旧配置では磁性体片のない位置でほぼ０テスラを示すものの、Ｘ軸方向のずれがあるとオフレベルを下回らない可能性があり、製造誤差を考慮すると信頼性に欠けるものである。
【００４２】
これに比べ、新配置ではオフを示すべき位置で−１１ｍｍテスラを示しており、十分にオフレベルを下回るから出力信号はオフを示し、検出は正常になされるものである。このように、現在入手可能な汎用品であるセンサＩＣのヒステリシス特性であっても、十分な識別力を有し、特注品である必要がなくなり実用性が高い。
【００４３】
また、逆極性に磁化された磁性体片の端部と正極性に磁化された端部とが連結部材で連結されていることにより、連結部材側への漏洩磁束が減少し、表裏逆転されて麻雀牌がセンサ上に載置されたとしても誤読み取りを起こす可能性が低いものである。
【００４４】
さらに、連結部材に近接させて、麻雀卓に設けられた麻雀牌自動セッティング機構の電磁石により麻雀牌を吸着するための軟磁性体片２３を設けることにより、磁気漏洩防止効果が高まるものである。
【発明の効果】
以上述べたように、複数の磁性体片を連結部材で連結し、かつ一体化することにより、磁気によるビット情報の設定の容易化が図れる。また、逆極性の磁性体片を配置することにより、磁気読取りの安定化が図れるものである。
【図面の簡単な説明】
【図１】麻雀卓全体の平面図
【図２】麻雀牌読取り機構の概略構成図
【図３】麻雀卓の内部構成図
【図４】麻雀牌読取りセンサ部及び麻雀牌の構造図
【図５】麻雀牌の具体的構造図
【図６】麻雀牌読取り回路のブロック構成図
【図７】麻雀牌読み取りセンサ部及び麻雀牌の他の構造図
【図８】麻雀牌読取りセンサ部の他の配置図
【図９】磁性体片の配列方向における磁束密度分布図
【符号の説明】
Ｍ　磁性体
Ｓ　センサＩＣ
１　麻雀卓本体
２　枠体
３　点数棒箱
４　点数表示部
５　ホッパ
６　操作部
７　麻雀牌群
８　入力・表示装置
９　麻雀牌整列スペース
１０　麻雀牌
１１Ａ〜Ｄ　麻雀牌検出スイッチ
１６　麻雀牌読取り機構
２０　麻雀牌読取りセンサ部
２１　牌本体
２２　牌背部
２３　軟磁性体片
３０　中央処理装置
３１　記憶装置
３２　入力装置
３３　センサＩＣ
３４　インタフェース装置
３５　ホール素子
３６　シュミット回路
３７　定電圧源
３８　出力トランジスタ
【図１】
2004129982.tif 000003
【図２】
2004129982.tif 000004
【図３】
2004129982.tif 000005
【図４】
2004129982.tif 000006
【図５】
2004129982.tif 000007
【図６】
2004129982.tif 000008
【図７】
2004129982.tif 000009
【図８】
2004129982.tif 000010
【図９】
2004129982.tif 000011